(57)【特許請求の範囲】
【請求項１】
光軸に沿って移動自在に支持された移動筒と、
前記移動筒を駆動するリニアモータと、
前記移動筒の外周に備えられたロック部と、
前記ロック部に当接させて、前記移動筒をロックするロック部材と、
前記ロック部に対して前記ロック部材を前記移動筒の半径方向又は半径方向と交差する方向に進退移動させて、前記ロック部材を前記ロック部に当接又は離間させるロック部材駆動部と、
を備え、
前記移動筒を可動範囲内で移動させた場合に、前記ロック部材の配置範囲内で前記ロック部が移動する、
レンズ鏡筒。
【請求項２】
光軸に沿って移動自在に支持された移動筒と、
前記移動筒を駆動するリニアモータと、
前記移動筒の外周面上に凸部として備えられたロック部と、
前記ロック部に当接させて、前記移動筒をロックするロック部材と、
前記ロック部に対して前記ロック部材を前記移動筒の半径方向と交差する方向に進退移動させて、前記ロック部材を前記ロック部に当接又は離間させるロック部材駆動部と、
を備え、
前記移動筒を可動範囲内で移動させた場合に、前記ロック部材の配置範囲内で前記ロック部が移動する、
レンズ鏡筒。
【請求項３】
前記光軸と平行な軸を中心に揺動自在に支持された揺動体を更に備え、
前記ロック部材は、前記揺動体に備えられ、
前記ロック部材駆動部は、前記揺動体を揺動させて、前記ロック部材を前記ロック部に当接又は離間させる、
請求項２に記載のレンズ鏡筒。
【請求項４】
前記揺動体は、前記光軸を中心に回転自在に支持された回転筒で構成される、
請求項３に記載のレンズ鏡筒。
【請求項５】
前記ロック部材駆動部は、
回転駆動モータと、
前記回転駆動モータの回転を減速させて前記揺動体に伝達する回転伝達機構と、
を備える請求項３又は４に記載のレンズ鏡筒。
【請求項６】
前記回転伝達機構が、ウォームギアで構成される、
請求項５に記載のレンズ鏡筒。
【請求項７】
光軸に沿って移動自在に支持された移動筒と、
前記移動筒を駆動するリニアモータと、
前記移動筒に備えられたロック部と、
前記ロック部に当接させて、前記移動筒をロックするロック部材と、
前記ロック部材を前記ロック部に向けて付勢する付勢部と、前記付勢部の付勢力に抗して前記ロック部材を押圧し、前記ロック部材を前記ロック部から退避させる退避駆動部と、を備え、前記ロック部に対して前記ロック部材を進退移動させて、前記ロック部材を前記ロック部に当接又は離間させるロック部材駆動部と、
を備え、
前記移動筒を可動範囲内で移動させた場合に、前記ロック部材の配置範囲内で前記ロック部が移動する、
レンズ鏡筒。
【請求項８】
支軸を支点に揺動する揺動部材を更に備え、
前記ロック部材は、前記揺動部材の一端に備えられ、
前記付勢部は、前記揺動部材を介して、前記ロック部材を前記ロック部に向けて付勢し、
前記退避駆動部は、前記揺動部材の他端を押圧して、前記ロック部材を前記ロック部から退避させる、
請求項７に記載のレンズ鏡筒。
【請求項９】
前記退避駆動部は、
回転駆動モータと、
前記回転駆動モータに駆動されて揺動する押圧部材と、
を備え、前記押圧部材で前記揺動部材の他端を押圧して、前記ロック部材を前記ロック部から退避させる、
請求項８に記載のレンズ鏡筒。
【請求項１０】
前記退避駆動部は、前記回転駆動モータの回転を減速させて前記押圧部材に伝達する回転伝達機構を更に備える、
請求項９に記載のレンズ鏡筒。
【請求項１１】
前記回転伝達機構が、ウォームギアで構成される、
請求項１０に記載のレンズ鏡筒。
【請求項１２】
光軸に沿って移動自在に支持された移動筒と、
前記移動筒を駆動するリニアモータと、
前記移動筒に備えられたロック部と、
前記ロック部に当接させて、前記移動筒をロックするロック部材と、
前記ロック部に対して前記ロック部材を進退移動させて、前記ロック部材を前記ロック部に当接又は離間させるロック部材駆動部と、
を備え、
前記ロック部及び前記ロック部材は、前記光軸に沿って周期的に繰り返す凹凸を有し、
前記ロック部材を前記ロック部に当接させると、前記ロック部材の前記凹凸が前記ロック部の前記凹凸に噛み合い、
前記移動筒を可動範囲内で移動させた場合に、前記ロック部材の配置範囲内で前記ロック部が移動する、
レンズ鏡筒。
【請求項１３】
前記ロック部及び前記ロック部材は、前記光軸に沿って周期的に繰り返す鋸歯状の前記凹凸を有する、
請求項１２に記載のレンズ鏡筒。
【発明の詳細な説明】
【技術分野】
【０００１】
本発明は、レンズ鏡筒に係り、特に、リニアモータで駆動されるレンズを備えたレンズ鏡筒に関する。
【背景技術】
【０００２】
リニアモータで駆動されるレンズを備えたレンズ鏡筒は、リニアモータへの電力供給が絶たれると、レンズの位置が不安定になるという問題がある。このため、リニアモータで駆動されるレンズを備えたレンズ鏡筒には、レンズをロックする機構が備えられる。【０００３】
特許文献１には、レンズを可動範囲の一方側の端部に移動させると、その端部に備えられた磁性体の磁力でレンズの移動がロックされる機構が開示されている。【０００４】
また、特許文献２には、レンズを所定位置に移動させると、レンズの移動を案内する軸に備えられた溝に板バネが嵌まり、レンズの移動がロックされる機構が開示されている。【０００５】
更に、特許文献３には、レンズを所定位置に移動させると、レンズ枠に備えられた雄ネジ部に雌ネジ部がネジ結合されて、レンズの移動がロックされる機構が開示されている。【０００６】
また、特許文献４には、レンズを所定位置に移動させると、レンズ枠に備えられた引っ掛け部にツメ部が嵌まり込んで、レンズの移動がロックされる機構が開示されている。
【先行技術文献】
【特許文献】
【０００７】
【特許文献１】特開2006-345589号公報
【特許文献２】特開2013-178380号公報
【特許文献３】特開2011-186266号公報
【特許文献４】特開2016-145959号公報
【発明の概要】
【発明が解決しようとする課題】
【０００８】
しかしながら、従来のロック機構は、いずれもレンズを所定位置まで移動させる必要があり、ロック動作に時間を要するという欠点がある。【０００９】
本発明は、このような事情に鑑みてなされたもので、移動筒を迅速にロックできるレンズ鏡筒を提供することを目的とする。
【課題を解決するための手段】
【００１０】
上記課題を解決するための手段は、次のとおりである。【００１１】
（１）光軸に沿って移動自在に支持された移動筒と、移動筒を駆動するリニアモータと、移動筒に備えられるロック部と、ロック部に当接させて、移動筒をロックするロック部材と、ロック部に対してロック部材を進退移動させて、ロック部材をロック部に当接又は離間させるロック部材駆動部と、を備え、移動筒を可動範囲内で移動させた場合に、ロック部材の配置範囲内でロック部が移動する、レンズ鏡筒。【００１２】
本態様によれば、移動筒にロック部材を当接又は離間させることにより、移動筒がロック、アンロックされる。ロック部材は、ロック部材駆動部に駆動されて進退移動し、移動筒のロック部に当接又は離間する。ロック部は、移動筒を可動範囲内で移動させた場合に、常にロック部材の配置範囲内に位置する。これにより、移動筒が、可動範囲内のどの位置にあっても、ロック部材を当接できる。すなわち、任意の位置で移動筒をロックできる。【００１３】
（２）ロック部は、移動筒の外周面上に凸部として備えられ、ロック部材駆動部は、ロック部材を移動筒の半径方向と交差する方向に進退移動させて、ロック部材をロック部に当接又は離間させる、上記（１）のレンズ鏡筒。【００１４】
本態様によれば、ロック部が、移動筒の外周面上に凸部として備えられる。ロック部材は、ロック部材駆動部に駆動されて、移動筒の半径方向と交差する方向に進退移動し、ロック部に当接又は離間する。【００１５】
（３）光軸と平行な軸を中心に揺動自在に支持された揺動体を更に備え、ロック部材は、揺動体に備えられ、ロック部材駆動部は、揺動体を揺動させて、ロック部材をロック部に当接又は離間させる、上記（２）のレンズ鏡筒。【００１６】
本態様によれば、揺動体にロック部材が備えられる。揺動体は、光軸と平行な軸を中心に揺動自在に支持される。ロック部材駆動部は、揺動体を揺動させて、ロック部材をロック部に当接又は離間させる。【００１７】
（４）揺動体は、光軸を中心に回転自在に支持された回転筒で構成される、上記（３）のレンズ鏡筒。【００１８】
本態様によれば、揺動体が、光軸を中心に回転自在に支持された回転筒で構成される。【００１９】
（５）ロック部材駆動部は、回転駆動モータと、回転駆動モータの回転を減速させて揺動体に伝達する回転伝達機構と、を備える上記（３）又は（４）のレンズ鏡筒。【００２０】
本態様によれば、ロック部材駆動部が、回転駆動モータと、回転伝達機構とを備える。回転伝達機構は、回転駆動モータの回転を減速させて揺動体に伝達する。これにより、回転駆動モータへの電力供給が絶たれた場合であっても、揺動体が回転するのを防止できる。すなわち、セルフロック機構を機能させることができる。【００２１】
（６）回転伝達機構が、ウォームギアで構成される、上記（５）のレンズ鏡筒。【００２２】
本態様によれば、回転伝達機構が、ウォームギアで構成される。【００２３】
（７）ロック部材駆動部は、ロック部材をロック部に向けて付勢する付勢部と、付勢部の付勢力に抗してロック部材を押圧し、ロック部材をロック部から退避させる退避駆動部と、を備える上記（１）のレンズ鏡筒。【００２４】
本態様によれば、ロック部材駆動部が、ロック部材をロック部に向けて付勢する付勢部と、その付勢部の付勢力に抗してロック部材を押圧し、ロック部材をロック部から退避させる退避駆動部と、を備える。退避駆動部によってロック部材を押圧することにより、ロック部材がロック部から退避する。一方、退避駆動部による押圧力を解除すると、付勢部による付勢力によってロック部材がロック部に当接する。【００２５】
（８）支軸を支点に揺動する揺動部材を更に備え、ロック部材は、揺動部材の一端に備えられ、付勢部は、揺動部材を介して、ロック部材をロック部に向けて付勢し、退避駆動部は、揺動部材の他端を押圧して、ロック部材をロック部から退避させる、上記（７）のレンズ鏡筒。【００２６】
本態様によれば、支軸を支点に揺動する揺動部材が更に備えられる。ロック部材は、その揺動部材の一端に備えられる。付勢部は、揺動部材を介して、ロック部材をロック部に向けて付勢する。一方、退避駆動部は、揺動部材の他端を押圧して、ロック部材をロック部から退避させる。【００２７】
（９）退避駆動部は、回転駆動モータと、回転駆動モータに駆動されて揺動する押圧部材と、を備え、押圧部材で揺動部材の他端を押圧して、ロック部材をロック部から退避させる、上記（８）のレンズ鏡筒。【００２８】
本態様によれば、退避駆動部が、回転駆動モータと、その回転駆動モータに駆動されて揺動する押圧部材と、を備える。退避駆動部は、押圧部材で揺動部材の他端を押圧して、ロック部材をロック部から退避させる。【００２９】
（１０）退避駆動部は、回転駆動モータの回転を減速させて押圧部材に伝達する回転伝達機構を更に備える、上記（９）のレンズ鏡筒。【００３０】
本態様によれば、退避駆動部が、回転伝達機構を更に備える。回転伝達機構は、回転駆動モータの回転を減速させて押圧部材に伝達する。これにより、回転駆動モータへの電力供給が絶たれた場合であっても、押圧部材が回転するのを防止できる。すなわち、セルフロック機構を機能させることができる。【００３１】
（１１）回転伝達機構が、ウォームギアで構成される、上記（１０）のレンズ鏡筒。【００３２】
本態様によれば、回転伝達機構が、ウォームギアで構成される。【００３３】
（１２）ロック部及びロック部材は、光軸に沿って周期的に繰り返す凹凸を有し、ロック部材をロック部に当接させると、ロック部材の凹凸がロック部の凹凸に噛み合う、上記（１）から（１１）のいずれか一のレンズ鏡筒。【００３４】
本態様によれば、ロック部及びロック部材が相互に噛み合う形状を有する。これにより、光軸方向の移動をより強固に規制できる。【００３５】
（１３）ロック部及びロック部材は、光軸に沿って周期的に繰り返す鋸歯状の凹凸を有する、上記（１２）のレンズ鏡筒。【００３６】
本態様によれば、ロック部及びロック部材が鋸歯状の凹凸を有する。これにより、ロック部材をロック部に当接させた際に容易に噛み合わせることができる。なお、鋸歯状の凹凸とは、断面が三角形状ないし台形状の凹凸が光軸に沿って周期的に繰り返される形状をいう。
【発明の効果】
【００３７】
本発明によれば、移動筒を迅速にロックできる。
【図面の簡単な説明】
【００３８】
【図１】本発明が適用された交換レンズの第1の実施の形態の断面図
【図２】図１の２−２断面図
【図３】図２の３−３断面図
【図４】図２の４−４断面図
【図５】図１の５−５断面図
【図６】駆動ユニットの構成を示す図
【図７】図４の７−７断面図（ブレーキバーがロック位置）
【図８】図４の７−７断面図（ブレーキバーがアンロック位置）
【図９】交換レンズの電気的構成を示すブロック図
【図１０】ブレーキバー及びロック用アームの配置の他の一例を示す図
【図１１】本発明が適用された交換レンズの第２の実施形態を示す断面図（ブレーキバーがロック位置）
【図１２】図１１の１２−１２断面図（ブレーキバーがロック位置）
【図１３】回転筒の断面図
【図１４】本発明が適用された交換レンズの第２の実施形態を示す断面図（ブレーキバーがアンロック位置）
【図１５】図１１の１２−１２断面図（ブレーキバーがアンロック位置）
【図１６】本発明が適用された交換レンズの第3の実施の形態を示す断面図
【図１７】図１６の１７−１７断面図
【図１８】図１７の１８−１８断面図
【図１９】図１７の１９−１９断面図
【図２０】フォーカスレンズ群ロック機構の側面部分断面図
【図２１】フォーカスレンズ群ロック機構の正面部分断面図（ロックした場合）
【図２２】フォーカスレンズ群ロック機構の正面部分断面図（アンロックした場合）
【図２３】駆動ユニットの構成を示す図
【図２４】フォーカスレンズ群ロック機構の正面部分断面図（ロックした場合）
【図２５】フォーカスレンズ群ロック機構の正面部分断面図（アンロックした場合）
【図２６】フォーカスレンズ群ロック機構の側面部分断面図（ロックした場合）
【図２７】フォーカスレンズ群ロック機構の側面部分断面図（アンロックした場合）
【図２８】ブレーキパッド駆動部の他の一例を示す斜視図
【図２９】図２８に示したブレーキパッド駆動部の正面部分断面図（ロックした場合）
【図３０】図２８に示したブレーキパッド駆動部の正面部分断面図（アンロックした場合）
【図３１】ブレーキパッド及びロック部の構成を示す斜視図
【発明を実施するための形態】
【００３９】
以下、添付図面に従って本発明を実施するための好ましい形態について説明する。
【００４０】
◆◆第１の実施の形態◆◆
ここでは、本発明をレンズ交換式カメラの交換レンズに適用した場合を例に説明する。
【００４１】
［構成］
図１は、本発明が適用された交換レンズの第1の実施の形態の断面図である。図２は、図１の２−２断面図である。図３は、図２の３−３断面図である。図４は、図２の４−４断面図である。なお、図１は、図２の１−１断面図に相当する。
【００４２】
この交換レンズ１は、オートフォーカス（Auto Focus／ＡＦ）機能を備えたレンズ交換式カメラの単焦点の交換レンズである。
【００４３】
《レンズ構成》
図１に示すように、交換レンズ１は、レンズ鏡筒１０の内部に物体側から順に第１レンズ群Ｇ１、第２レンズ群Ｇ２、絞りＳｔ、第３レンズ群Ｇ３及び第４レンズ群Ｇ４を備える。第１レンズ群Ｇ１、第３レンズ群Ｇ３及び第４レンズ群Ｇ４は、焦点調節の際に固定のレンズ群である。第２レンズ群Ｇ２は、焦点調節の際に移動するレンズ群である。すなわち、本実施の形態の交換レンズ１では、第２レンズ群Ｇ２が、フォーカスレンズ群を構成する。交換レンズ１は、第２レンズ群Ｇ２を光軸Ｚに沿って移動させることにより、焦点調節される。
【００４４】
《レンズ鏡筒》
レンズ鏡筒１０は、カメラ本体（不図示）に対して固定の固定鏡筒１２を有する。固定鏡筒１２は、全体として円筒形状を有する。
【００４５】
固定鏡筒１２は、その基端部にマウント１４を有する。交換レンズ１は、マウント１４を介して、カメラ本体（不図示）に装着される。
【００４６】
また、固定鏡筒１２は、その外周部にフォーカスリング１２ａ及び絞りリング１２ｂを有する。フォーカスリング１２ａは、マニュアルで焦点調節するための操作リングである。絞りリング１２ｂは、絞りを設定するための操作リングである。
【００４７】
固定鏡筒１２は、その内部に、第１レンズ群Ｇ１を保持する第１レンズ保持筒１６、フォーカスレンズ群である第２レンズ群Ｇ２を保持する第２レンズ保持筒１８、第３レンズ群Ｇ３を保持する第３レンズ保持筒２０、第４レンズ群Ｇ４を保持する第４レンズ保持筒２２及び絞りユニット２６を備える。
【００４８】
〈第１レンズ保持筒〉
図５は、図１の５−５断面図である。
【００４９】
第１レンズ保持筒１６は、固定鏡筒１２に対して固定のレンズ保持筒である。第１レンズ保持筒１６は、その外周部に一体的に備えられた環状の支持部１６ａを介して、固定鏡筒１２に固定される。固定鏡筒１２に固定された第１レンズ保持筒１６は、光軸上に配置される。
【００５０】
〈第２レンズ保持筒〉
第２レンズ保持筒１８は、固定鏡筒１２に対して移動するレンズ保持筒である。第２レンズ保持筒１８は移動筒の一例である。第２レンズ保持筒１８は、フォーカスレンズ群支持部３０によって移動自在に支持される。また、第２レンズ保持筒１８は、フォーカスレンズ群駆動部４０に駆動されて移動する。更に、第２レンズ保持筒１８は、フォーカスレンズ群ロック機構５０によって、移動がロックされる。フォーカスレンズ群支持部３０、フォーカスレンズ群駆動部４０及びフォーカスレンズ群ロック機構５０については、後述する。
【００５１】
〈第３レンズ保持筒〉
第３レンズ保持筒２０は、固定鏡筒１２に対して固定のレンズ保持筒である。第３レンズ保持筒２０は、その外周部に一体的に備えられた環状の支持部２０ａを介して、固定鏡筒１２に固定される。固定鏡筒１２に固定された第３レンズ保持筒２０は、光軸上に配置される。
【００５２】
〈第４レンズ保持筒〉
第４レンズ保持筒２２は、固定鏡筒１２に対して固定のレンズ保持筒である。第４レンズ保持筒２２は、その外周部に一体的に備えられた環状の支持部２２ａを介して、固定鏡筒１２に固定される。固定鏡筒１２に固定された第４レンズ保持筒２２は、光軸上に配置される。
【００５３】
〈絞りユニット２６〉
絞りユニット２６は、絞りＳｔと、その駆動機構と、を備える。絞りＳｔは、たとえば、アイリス絞りで構成される。絞りＳｔの駆動機構は、図示しない絞り用モータを含み、その絞り用モータを駆動して、絞りＳｔの開口部の径を拡縮させる。絞りユニット２６は、第３レンズ保持筒２０に取り付けられる。
【００５４】
《フォーカスレンズ群支持部》
フォーカスレンズ群支持部３０は、移動筒である第２レンズ保持筒１８を光軸Ｚに沿って移動自在に支持する。
【００５５】
図１及び図２に示すように、フォーカスレンズ群支持部３０は、固定筒３１と、主ガイド軸３２ａと、副ガイド軸３２ｂと、主スライド部３３ａと、副スライド部３３ｂと、を備える。
【００５６】
固定筒３１は、円筒形状を有し、その外周部に一体的に備えられた環状の支持部３１ａを介して、固定鏡筒１２に固定される。
【００５７】
主ガイド軸３２ａは、丸棒形状を有する。主ガイド軸３２ａは、固定筒３１の内側に備えられ、光軸Ｚに沿って配置される。主ガイド軸３２ａは、その両端部を固定筒３１に備えられた主ガイド軸支持部３１ｂに支持されて、固定筒３１に固定して備えられる。
【００５８】
副ガイド軸３２ｂは、丸棒形状を有する。副ガイド軸３２ｂは、固定筒３１の内側に備えられ、光軸Ｚに沿って配置される。副ガイド軸３２ｂは、その両端部を固定筒３１に備えられた副ガイド軸支持部３１ｃに支持されて、固定筒３１に固定して備えられる。
【００５９】
主スライド部３３ａは、第２レンズ保持筒１８の外周部に一体的に備えられる。主スライド部３３ａは、円筒形状を有し、その内周部に主ガイド軸３２ａが挿入される。主スライド部３３ａは、主ガイド軸３２ａに沿ってスライドする。
【００６０】
副スライド部３３ｂは、第２レンズ保持筒１８の外周部に一体的に備えられる。副スライド部３３ｂは、主スライド部３３ａよりも短い円筒形状を有し、その内周部に副ガイド軸３２ｂが挿入される。副スライド部３３ｂは、副ガイド軸３２ｂに沿ってスライドする。
【００６１】
以上の構成のフォーカスレンズ群支持部３０によれば、第２レンズ保持筒１８は、主スライド部３３ａ及び副スライド部３３ｂを介して主ガイド軸３２ａ及び副ガイド軸３２ｂにスライド自在に支持される。主ガイド軸３２ａ及び副ガイド軸３２ｂは光軸Ｚに沿って配設されている。したがって、第２レンズ保持筒１８は、主スライド部３３ａ及び副スライド部３３ｂを介して、光軸Ｚに沿って移動自在に支持される。
【００６２】
なお、第２レンズ保持筒１８の可動範囲は、主ガイド軸３２ａの両端に備えられたストッパ３４で規定される。ストッパ３４は、主スライド部３３ａの端部が当接することにより、第２レンズ保持筒１８の移動を規制する。ストッパ３４は、ゴム等の弾性体で構成され、緩衝材としても機能する。
【００６３】
《フォーカスレンズ群駆動部》
フォーカスレンズ群駆動部４０は、第２レンズ保持筒１８を光軸Ｚに沿って移動させて、フォーカスレンズ群（第２レンズ群Ｇ２）を光軸Ｚに沿って移動させる。図２及び図３に示すように、フォーカスレンズ群駆動部４０は、２つのフォーカス用モータ４１を備える。２つのフォーカス用モータ４１は、第２レンズ保持筒１８を挟んで左右対称に配置される。
【００６４】
各フォーカス用モータ４１は、ボイスコイルモータで構成され、ヨーク４１ａ、駆動用マグネット４１ｂ及び駆動用コイル４１ｃを備える。ボイスコイルモータは、リニアモータの一例である。
【００６５】
ヨーク４１ａは、Ｕ字形状を有し、互いに平行なインナーヨーク部４１ａ１及びアウターヨーク部４１ａ２を有する。ヨーク４１ａは、固定筒３１の内側に備えられ、光軸Ｚに沿って配置される。ヨーク４１ａは、その一端を固定筒３１に備えられたヨーク支持部３１ｄに支持されて、固定筒３１に固定して備えられる。
【００６６】
駆動用マグネット４１ｂは、永久磁石で構成され、ヨーク４１ａに備えられる。駆動用マグネット４１ｂは、アウターヨーク部４１ａ２の内側の面（インナーヨーク部４１ａ１と対向する面）に備えられ、かつ、ヨーク４１ａの長手方向に沿って備えられる。
【００６７】
駆動用コイル４１ｃは、第２レンズ保持筒１８に備えられる。駆動用コイル４１ｃは、第２レンズ保持筒１８の外周部に備えられたコイル保持部１８ａに取り付けられて、第２レンズ保持筒１８に備えられる。駆動用コイル４１ｃは、その内周部に一定の隙間をもってインナーヨーク部４１ａ１が挿入される。また、駆動用コイル４１ｃは、駆動用マグネット４１ｂとの間に一定の隙間をもって配置される。
【００６８】
以上の構成のフォーカスレンズ群駆動部４０によれば、フォーカス用モータ４１の駆動用コイル４１ｃに通電すると、駆動用コイル４１ｃが、光軸方向に推進力を受けて移動する。これにより、第２レンズ保持筒１８が、光軸Ｚに沿って移動する。
【００６９】
《フォーカスレンズ群ロック機構》
フォーカスレンズ群（第２レンズ群Ｇ２）は、リニアモータであるフォーカス用モータ４１への電力供給が絶たれると、位置が不安定になる。フォーカスレンズ群ロック機構５０は、第２レンズ保持筒１８の移動をロックして、第２レンズ保持筒１８に保持されたフォーカスレンズ群（第２レンズ群Ｇ２）の移動をロックする。その際、フォーカスレンズ群ロック機構５０は、任意の位置で第２レンズ保持筒１８の移動をロックする。
【００７０】
図２及び図４に示すように、フォーカスレンズ群ロック機構５０は、第２レンズ保持筒１８の外周部に備えられる２つのロック用アーム５１と、各ロック用アーム５１に個別に当接して第２レンズ保持筒１８の移動をロックする２つのブレーキバー５２と、２つのブレーキバー５２が備えられる回転筒５３と、回転筒５３を軸周りに回転（揺動）させる回転筒駆動部５４と、を備える。
【００７１】
〈ロック用アーム〉
ロック用アーム５１は、移動筒である第２レンズ保持筒１８に備えられるロック部の一例である。ロック用アーム５１は、第２レンズ保持筒１８の外周部に一定の間隔で配置される。ロック用アーム５１は、第２レンズ保持筒１８の外周部から直線状に突き出た棒状の凸部として、第２レンズ保持筒１８の外周部に一体的に備えられる。ロック用アーム５１は、その先端に円弧状の受け部５１ａを有する。ロック用アーム５１は、その先端の受け部５１ａの片側の側面にブレーキバー５２が当接される。
【００７２】
〈ブレーキバー〉
ブレーキバー５２は、ロック部材の一例である。ブレーキバー５２は、回転筒５３の内周部に一体的に備えられる。ブレーキバー５２は、光軸Ｚに沿って配置される。ブレーキバー５２は、ロック用アーム５１の可動範囲に対応した長さを有する。本実施の形態では、ブレーキバー５２が、ロック用アーム５１の可動範囲の一端から他端までの長さを超える長さを有する。これにより、第２レンズ保持筒１８を可動範囲内で移動させた場合に、ブレーキバー５２の配置範囲内でロック用アーム５１が移動する。
【００７３】
ブレーキバー５２は、図２に示すように、光軸Ｚと直交する断面が、おおよそ三角形状を有する。ブレーキバー５２は、その片側の面が当接面５２ａとして機能する。すなわち、ロック用アーム５１に当接させる面として機能する。ブレーキバー５２は、当接面５２ａをロック用アーム５１の先端の受け部５１ａの側面に当接させて、第２レンズ保持筒１８の移動をロックする。当接面５２ａは、ロック用アーム５１に隙間なく当接するように、ロック用アーム５１に当接する部分が、ロック用アーム５１の形状に対応した形状を有する。
【００７４】
ブレーキバー５２は、当接面５２ａに滑り止め処理が施される。滑り止め処理は、摩擦係数を大きくする処理である。滑り止め処理には、公知の手法を採用できる。たとえば、ロック用アーム５１に当接する部分に所要の表面処理を施して、摩擦係数を大きくする方法などを採用できる。ブレーキバー５２の当接面５２ａに滑り止め処理を施すことにより、ロック用アーム５１に当接させた際に、保持力を向上できる。
【００７５】
〈回転筒〉
回転筒５３は、揺動体の一例である。回転筒５３は、固定筒３１の内側に備えられ、固定筒３１の内周面をガイド面として、周方向に回転自在に支持される。２つのブレーキバー５２は、この回転筒５３の内周部に備えられ、一定の間隔で配置される。２つのブレーキバー５２は、この回転筒５３を回転させることにより、光軸Ｚと平行な状態を維持して、光軸Ｚの周りを回転（揺動）し、ロック位置とアンロック位置との間を進退移動する。
【００７６】
〈回転筒駆動部〉
回転筒駆動部５４は、ロック部材駆動部の一例である。回転筒駆動部５４は、回転筒５３に備えられるギア部５３ａ、そのギア部５３ａに噛み合わされる駆動ギア５５と、駆動ギア５５を回転させる回転駆動ユニット５６と、を備える。
【００７７】
図２に示すように、回転筒５３は、その外周面の一部にギア部５３ａを有する。ギア部５３ａは、回転筒５３と同軸上に配置された平歯車の一部として構成される。固定筒３１には、このギア部５３ａに対応する位置にスリット３１ｅを有する。ギア部５３ａは、スリット３１ｅに嵌め込まれて、スリット内を移動する。
【００７８】
図６は、駆動ユニットの構成を示す図である。
【００７９】
回転駆動ユニット５６は、ロック用モータ５７と、そのロック用モータ５７の出力を駆動ギア５５に伝達する回転伝達機構５８と、を備える。
【００８０】
ロック用モータ５７は、回転駆動モータの一例である。ロック用モータ５７は、その出力軸５７ａを正逆双方向に回転駆動可能なモータで構成される。すなわち、時計回り及び反時計回りの両方の方向に回転駆動可能なモータで構成される。
【００８１】
回転伝達機構５８は、ロック用モータ５７の回転を減速させる減速機構で構成される。特に、本実施の形態では、回転伝達機構５８がウォームギアで構成される。ウォームギアは、ウォーム５８Ａ及びウォームホイール５８Ｂで構成される。ウォーム５８Ａは、ロック用モータ５７の出力軸５７ａに取り付けられる。ウォームホイール５８Ｂは、駆動ギア５５の回転軸５５ａに取り付けられる。
【００８２】
ロック用モータ５７を駆動して、ウォーム５８Ａを回転させると、その回転がウォームホイール５８Ｂに伝達されて、ウォームホイール５８Ｂが回転する。ウォームホイール５８Ｂが回転すると、駆動ギア５５が回転し、その回転が回転筒５３のギア部５３ａに伝達されて、回転筒５３が回転する。
【００８３】
回転伝達機構５８をウォームギアで構成することにより、いわゆるセルフロック機能が作用し、ロック用モータ５７への電力供給を断っても、回転筒５３の回転をロックできる。
【００８４】
なお、本実施の形態の交換レンズ１では、セルフロック機能を強化するため、ウォーム５８Ａが、次のようにロック用モータ５７に取り付けられる。
【００８５】
図６において、符号５７ｂは、ロック用モータ５７のケースである。符号５７ｃは、ロック用モータのロータであり、出力軸５７ａに備えられる。符号５７ｄは、ロック用モータ５７のステータであり、ケース５７ｂに備えられる。符号５７ｅは、ロック用モータの出力軸５７ａを回転自在に支持する軸受部であり、ケース５７ｂ内の二箇所に備えられる。符号５７ｆは、ワッシャであり、出力軸５７ａに嵌められて、前側の軸受部５７ｅとロータ５７ｃの軸部５７ｃ１との間に取り付けられる。
【００８６】
ロック用モータ５７は、その出力軸５７ａが、一定の範囲で軸方向に可動する。すなわち、出力軸５７ａの後端が、ケース５７ｂの内壁面に当接する位置から、ロータ５７ｃの軸部５７ｃ１の先端が、ワッシャ５７ｆを介して、軸受部５７ｅに当接するまでの範囲で可動する。
【００８７】
ウォーム５８Ａは、ワッシャ５９を介して、ロック用モータの出力軸５７ａに取り付けられる。いま、ワッシャ５９とウォーム５８Ａとの間に生じる隙間の幅をαとし、出力軸５７ａの後端とケース５７ｂの内壁面との間に生じる隙間の幅をβとする。ウォーム５８Ａは、α＜βの条件を満たすように、出力軸５７ａに取り付けられる。
【００８８】
このようにウォーム５８Ａを取り付けることにより、ウォームギアによるセルフロック機能を強化できる。すなわち、このようにウォーム５８Ａを取り付けることにより、ウォームホイール側からウォームを回転させる力が作用した際に、ウォーム５８Ａとワッシャ５９との間の摩擦力でウォーム５８Ａが回転するのを効果的に抑止できる。これにより、ウォームギアによるセルフロック機能をより強化できる。
【００８９】
以上の構成のフォーカスレンズ群ロック機構５０によれば、回転筒駆動部５４によって回転筒５３を回転させると、ブレーキバー５２が光軸Ｚを中心に揺動して、ロック位置とアンロック位置との間を進退移動する。この際、ブレーキバー５２は、光軸Ｚと平行な状態を維持して揺動し、回転筒５３の径方向（＝第２レンズ保持筒１８の径方向）と交差する方向に揺動する。
【００９０】
図７は、図４の７−７断面図であり、ブレーキバー５２がロック位置に位置した状態を示している。図８は、図７と同じ断面の図であり、ブレーキバー５２がアンロック位置に位置した状態を示している。
【００９１】
図７に示すように、ブレーキバー５２がロック位置に移動すると、ブレーキバー５２がロック用アーム５１の先端の受け部５１ａの側面に当接する。これにより、第２レンズ保持筒１８の移動がロックされる。また、これにより、フォーカスレンズ群（第２レンズ群Ｇ２）がロックされる。
【００９２】
一方、図８に示すように、ブレーキバー５２がアンロック位置に移動すると、ブレーキバー５２がロック用アーム５１から離間する。これにより、第２レンズ保持筒１８のロックが解除（アンロック）される。また、これにより、フォーカスレンズ群（第２レンズ群Ｇ２）のロックが解除される。
【００９３】
《交換レンズの電気的構成》
図９は、交換レンズの電気的構成を示すブロック図である。
【００９４】
同図に示すように、交換レンズ１は、制御部としてレンズマイコン１１０を備える。レンズマイコン１１０は、ＣＰＵ（Central Processing Unit／中央処理装置）、ＲＯＭ（Read Only Memory）及びＲＡＭ（Random Access Memory）を備えたマイクロコンピュータで構成される。レンズマイコン１１０は、所定のプログラムを実行することにより、フォーカスレンズ群駆動制御部１１０ａ、絞り駆動制御部１１０ｂ及びロック駆動制御部１１０ｃ等として機能する。
【００９５】
フォーカスレンズ群駆動制御部１１０ａは、フォーカス用モータ駆動回路１１２を介してフォーカス用モータ４１の駆動を制御し、フォーカスレンズ群（第２レンズ群Ｇ２）の移動を制御する。フォーカスレンズ群駆動制御部１１０ａは、フォーカスレンズ群位置検出部１１８で検出されるフォーカスレンズ群（第２レンズ群Ｇ２）の位置情報に基づいて、フォーカスレンズ群の移動を制御する。フォーカスレンズ群位置検出部１１８は、たとえば、フォトインタラプタ及びＭＲセンサ（Magneto Resistive Sensor／磁気抵抗効果素子）で構成される。フォトインタラプタは、フォーカスレンズ群が、あらかじめ定められた原点位置に位置したことを検出する。ＭＲセンサは、原点位置を基準としたフォーカスレンズ群の位置を検出する。
【００９６】
絞り駆動制御部１１０ｂは、絞り用モータ駆動回路１１４を介して絞り用モータ２７の駆動を制御し、絞りＳｔの開口量を制御する。
【００９７】
ロック駆動制御部１１０ｃは、ロック用モータ駆動回路１１６を介してロック用モータ５７の駆動を制御し、フォーカスレンズ群ロック機構５０によるフォーカスレンズ群（第２レンズ群Ｇ２）のロック、アンロックを制御する。
【００９８】
レンズマイコン１１０は、交換レンズ１がカメラボディーＣＢに装着されると、そのカメラボディーＣＢに備えられたカメラマイコンＣＭと接続される。カメラマイコンＣＭは、カメラ全体の制御部である。フォーカスレンズ群駆動制御部１１０ａは、カメラマイコンＣＭから指示に応じて、フォーカス用モータ４１の駆動を制御する。なお、マニュアルフォーカスが選択されている場合は、フォーカスリング１２ａの操作に基づいて、フォーカス用モータ４１の駆動を制御する。操作部１２０は、フォーカスリング１２ａの操作に応じた信号をレンズマイコン１１０に出力する。
【００９９】
絞り駆動制御部１１０ｂは、カメラマイコンＣＭからの指示に応じて、絞り用モータ２７の駆動を制御する。なお、絞り優先モードが選択されている場合は、絞りリング１２ｂの設定に基づいて、絞り用モータ２７の駆動を制御する。操作部１２０は、絞りリング１２ｂの操作に応じた信号をレンズマイコン１１０に出力する。
【０１００】
ロック駆動制御部１１０ｃは、カメラの電源のオン、オフに連動して、フォーカスレンズ群（第２レンズ群Ｇ２）をロック、アンロックする。具体的には、カメラの電源がオンされると、フォーカスレンズ群（第２レンズ群Ｇ２）をアンロックし、カメラの電源がオフされると、フォーカスレンズ群（第２レンズ群Ｇ２）をロックする。
【０１０１】
［作用］
上記のように、本実施の形態の交換レンズ１は、フォーカスレンズ群（第２レンズ群Ｇ２）をロック、アンロックできる。
【０１０２】
《フォーカスレンズ群のロックする場合》
フォーカスレンズ群（第２レンズ群Ｇ２）をロックする場合は、図７に示すように、回転筒５３を反時計回りＣＣＷ（Counter Clock Wise）に回転させ、ブレーキバー５２をロック位置に移動させる。これにより、ブレーキバー５２がロック用アーム５１に当接する。ブレーキバー５２がロック用アーム５１に当接することにより、その摩擦力でロック用アーム５１がブレーキバー５２に保持され、第２レンズ保持筒１８の移動がロックされる。これにより、第２レンズ保持筒１８に保持されたフォーカスレンズ群（第２レンズ群Ｇ２）がロックされる。
【０１０３】
《フォーカスレンズ群のアンロックする場合》
ロックされたフォーカスレンズ群（第２レンズ群Ｇ２）をアンロックする場合は、図８に示すように、回転筒５３を時計回りＣＷ（Clock Wise）に回転させ、ブレーキバー５２をアンロック位置に退避させる。これにより、ブレーキバー５２がロック用アーム５１から離間し、ロック用アーム５１が開放される。これにより、第２レンズ保持筒１８がフリーになり、フォーカスレンズ群（第２レンズ群Ｇ２）のロックが解除される。
【０１０４】
《ロック及びアンロックの手順》
上記のように、フォーカスレンズ群（第２レンズ群Ｇ２）は、カメラの電源のオン、オフに連動して、ロック、アンロックされる。カメラの電源がオフされると、フォーカスレンズ群がロックされ、カメラの電源がオンされると、フォーカスレンズ群のロックが解除される。
【０１０５】
カメラの電源がオフされると、フォーカス用モータ４１への電力供給が絶たれる。フォーカス用モータ４１への電力供給が絶たれると、フォーカスレンズ群（第２レンズ群Ｇ２）はフリーになる。しかし、フォーカスレンズ群ロック機構５０でロックされるので、電源オフ中にフォーカスレンズ群（第２レンズ群Ｇ２）が移動することはない。
【０１０６】
なお、カメラの電源がオフされると、ロック用モータ５７への電力供給も絶たれる。しかし、ロック用モータ５７の回転は、ウォームギアを介して伝達される構成であるため、ウォームギアによるセルフロック機能を作用させることができる。これにより、電源オフ中でも継続してフォーカスレンズ群（第２レンズ群Ｇ２）をロックできる。
【０１０７】
また、ロックは、回転筒５３を回転させるだけであり、ロックのためにフォーカスレンズ群（第２レンズ群Ｇ２）を移動させる必要もない。すなわち、任意の位置でフォーカスレンズ群（第２レンズ群Ｇ２）をロックできる。したがって、迅速にロックできる。
【０１０８】
［変形例］
《ロック用アーム及びブレーキバー》
凸部としてのロック用アーム５１の形状、及び、ロック部材としてのブレーキバー５２の形状は、特に限定されるものではなく、レンズ鏡筒内のスペース等を考慮して設定される。
【０１０９】
また、上記実施の形態では、ロック用アーム５１及びブレーキバー５２を２つ備えているが、ロック用アーム５１及びブレーキバー５２は、少なくとも１つ備えていればよい。ロック用アーム５１及びブレーキバー５２を複数備えることにより、ロック力を高めることができる。ロック用アーム５１及びブレーキバー５２を複数に備える場合は、等間隔に配置することが好ましい。特に、光軸と直交する鉛直線に対して対称になるように配置することが好ましい。これにより、重量バランスを均一化できる。
【０１１０】
また、上記実施の形態では、ブレーキバー５２にのみ滑り止め処理を施しているが、ロック用アーム５１についても同様に滑り止め処理を施してもよい。これにより、強固にロックできる。滑り止め処理は、公知の手法を採用できる。
【０１１１】
また、上記実施の形態では、ロック部材であるブレーキバー５２に対してロック部であるロック用アーム５１が相対的に長い長さを有しているが、両者の長さの関係は、これに限定されるものではない。第２レンズ保持筒１８を可動範囲内で移動させた場合に、ブレーキバー５２の配置範囲内でロック用アーム５１が移動するように、ブレーキバー５２及びロック用アーム５１が配置されていればよい。
【０１１２】
図１０は、ブレーキバー及びロック用アームの配置の他の一例を示す図である。
【０１１３】
同図に示す例では、ロック用アーム５１が、ブレーキバー５２よりも相対的に長い長さを有している。ロック用アーム５１は、第２レンズ保持筒１８を可動範囲内で移動させた場合に、ブレーキバー５２の配置範囲内で移動するように、その光軸方向の長さが設定される。これにより、第２レンズ保持筒１８が、可動範囲内のどの位置にあっても、ブレーキバー５２をロック用アーム５１に当接できる。
【０１１４】
《ブレーキバーの支持構造》
上記実施の形態では、回転筒５３にブレーキバー５２を備えることにより、ブレーキバー５２を揺動自在に支持する構成としているが、ロック部材であるブレーキバー５２を揺動自在に支持する構成は、これに限定されるものではない。この他、たとえば、揺動体として、円弧状の部材を固定筒３１の内周面又は外周面に沿って摺動自在に支持し、その円弧状の部材（揺動体）にロック部材であるブレーキバー５２を備えて、揺動自在に支持する構成とすることもできる。
【０１１５】
《減速機構》
セルフロック機能の実現するための減速機構として、ウォームギアを採用しているが、ギア列で構成された減速機構でセルフロック機能を実現してもよい。
【０１１６】
なお、上記実施の形態では、ワッシャ５９を介してウォーム５８Ａをロック用モータ５７の出力軸５７ａに取り付けているが、ワッシャ５９を介さずに直接ウォーム５８Ａを出力軸５７ａに取り付けることもできる。この場合、ウォーム５８Ａとケース５７ｂとの間に生じる隙間の幅をαとし、α＜βの条件を満たすように、ウォーム５８Ａを出力軸５７ａに取り付ける。
【０１１７】
《ロック及びアンロックの作動タイミング》
上記実施の形態では、カメラの電源のオン、オフに連動して、フォーカスレンズ群をロック、アンロックする構成としているが、ロック、アンロックの作動タイミングは、これに限定されるものではない。この他、たとえば、撮像モードと、他のモード（たとえば、再生モード、設定モード）との切り換えに連動して、フォーカスレンズ群をロック、アンロックする構成としてもよい。この場合、撮像モードに設定されると、フォーカスレンズ群がアンロックされ、その他のモードに設定されると、フォーカスレンズ群がロックされる。また、フォーカス用モータ４１への電力供給に連動して、フォーカスレンズ群をロック、アンロックする構成としてもよい。この場合、フォーカス用モータ４１に電力供給されると、フォーカスレンズ群がアンロックされ、フォーカス用モータ４１への電力供給が絶たれると、フォーカスレンズ群がロックされる。更に、交換レンズの場合は、カメラ本体からの取り外しを検出し、カメラ本体からの取り外された場合は、自動的にフォーカスレンズ群をロックする構成としてもよい。カメラ本体からの取り外しは、たとえば、マウントに備えられた端子によって検出する。すなわち、着脱検出用の端子を設け、その端子の状態を検出して、カメラ本体からの取り外しを検出する。この他、着脱を検出するセンサを設け、そのセンサの出力に基づいて、カメラ本体からの取り外しを検出する。
【０１１８】
《ロック部材駆動部》
上記実施の形態では、回転筒５３をロック用モータ５７で回転させる構成としているが、手動で回転させる構成としてもよい。たとえば、固定鏡筒１２の外周部に操作環を設け、その操作環の回転操作によって、回転筒５３を回転させる構成としてもよい。
【０１１９】
《フォーカス用モータ》
上記実施の形態では、フォーカス用モータ４１をボイスコイルモータで構成しているが、フォーカス用モータを構成するリニアモータは、これに限定されるものではない。公知のリニアモータを採用できる。
【０１２０】
また、上記実施の形態では、２つのフォーカス用モータでフォーカスレンズ群を駆動する構成としているが、フォーカスレンズ群を駆動するフォーカス用モータの数は、これに限定されるものではない。フォーカス用モータの数は、レンズ群の重量等を考慮して、適宜増減できる。
【０１２１】
◆◆第２の実施の形態◆◆
［構成］
図１１は、本発明が適用された交換レンズの第２の実施形態を示す断面図である。図１２は、図１１の１２−１２断面図である。なお、図１１は、図１２の１１−１１断面図である。また、図１１及び図１２は、フォーカスレンズ群（第２レンズ群Ｇ２）をロックした場合の図を示している。
【０１２２】
本実施の形態の交換レンズ１は、フォーカスレンズ群ロック機構６０の構成が、上記第１の実施の形態の交換レンズ１と異なる。したがって、ここでは、フォーカスレンズ群ロック機構６０の構成についてのみ説明する。
【０１２３】
《フォーカスレンズ群ロック機構》
図１１及び図１２に示すように、フォーカスレンズ群ロック機構６０は、第２レンズ保持筒１８の外周部に備えられる２つのロック用アーム６１と、各ロック用アーム６１に個別に当接して第２レンズ保持筒１８の移動をロックする２つのブレーキバー６２と、２つのブレーキバー６２が備えられる回転筒５３と、回転筒５３を軸周りに回転（揺動）させる回転筒駆動部５４と、を備える。
【０１２４】
回転筒５３及び回転筒駆動部５４の構成は、上記第１の実施の形態の交換レンズ１の回転筒５３及び回転筒駆動部６４の構成と同じである。したがって、ここでは、ロック用アーム６１及びブレーキバー６２の構成についてのみ説明する。
【０１２５】
〈ブレーキバー〉
ブレーキバー６２は、ロック部材の一例である。図１１及び図１２に示すように、ブレーキバー６２は、回転筒５３の内周部に一体的に備えられる。ブレーキバー６２は、光軸Ｚに沿って配置される。ブレーキバー６２は、ロック用アーム６１の可動範囲に対応した長さを有する。本実施の形態では、ブレーキバー６２が、ロック用アーム６１の可動範囲の一端から他端までの長さを超える長さを有する。これにより、第２レンズ保持筒１８を可動範囲内で移動させた場合に、ブレーキバー６２の配置範囲内でロック用アーム６１が可動する。
【０１２６】
ブレーキバー６２は、図１２に示すように、光軸Ｚと直交する断面が円弧形状を有し、全体として、円筒の一部を切り出した形状を有する。
【０１２７】
図１３は、回転筒の側面断面図である。図１３は、図１２の１３−１３断面に相当する。
【０１２８】
図１１及び図１３に示すように、ブレーキバー６２は、その表面に鋸歯状の凹凸を有する。この凹凸は、断面三角形状の凹凸が光軸Ｚに沿って周期的に繰り返された形状である。また、この鋸歯状の凹凸の凸部分の両端（回転筒５３の周方向における両端＝ブレーキバー６２の揺動方向の両端）は、テーパ形状を有する。すなわち、端部に向かって先細となる形状を有する（凹凸の凹部分は、端部に向かって幅広となる形状を有する。）。
【０１２９】
〈ロック用アーム〉
ロック用アーム６１は、移動筒である第２レンズ保持筒１８に備えられるロック部の一例である。図１１及び図１２に示すように、ロック用アーム６１は、第２レンズ保持筒１８の外周部から直線状に突き出た棒状の凸部として、第２レンズ保持筒１８の外周部に一体的に備えられる。ロック用アーム６１は、その先端に円弧状の噛み合い部６１ｂを有する。噛み合い部６１ａは、ブレーキバー６２の表面の凹凸に噛み合う形状を有する。すなわち、断面三角形状の凹凸が光軸Ｚに沿って周期的に繰り返された鋸歯状の凹凸形状を有する。
【０１３０】
［作用］
《フォーカスレンズ群のロック》
フォーカスレンズ群（第２レンズ群Ｇ２）をロックする場合は、回転筒５３を反時計回りＣＣＷに回転させ、ブレーキバー６２をロック位置に移動させる。図１１及び図１２に示すように、ブレーキバー６２をロック位置に移動させると、ロック用アーム６１の先端の噛み合い部６１ｂの凹凸にブレーキバー６２の凹凸が噛み合う。これにより、ロック用アーム６１の光軸方向の移動が規制され、第２レンズ保持筒１８の移動がロックされる。
【０１３１】
《フォーカスレンズ群のアンロック》
ロックされたフォーカスレンズ群（第２レンズ群Ｇ２）をアンロックする場合は、回転筒５３を時計回りＣＷ（Clock Wise）に回転させ、ブレーキバー６２をアンロック位置に退避させる。
【０１３２】
図１４は、図１１と同じ断面の図であり、ブレーキバー６２がアンロック位置に位置した状態を示している。また、図１５は、図１２と同じ断面の図であり、ブレーキバー６２がアンロック位置に位置した状態を示している。
【０１３３】
図１４及び図１５に示すように、ブレーキバー６２をアンロック位置に移動させると、ブレーキバー６２がロック用アーム６１から離間し、ロック用アーム６１との噛み合いが解除される。これにより、第２レンズ保持筒１８がフリーになり、フォーカスレンズ群（第２レンズ群Ｇ２）のロックが解除される。
【０１３４】
このように、本実施の形態のフォーカスレンズ群ロック機構５０も、回転筒５３を回転させるだけで、フォーカスレンズ群（第２レンズ群Ｇ２）をロック、アンロックできる。これにより、任意の位置でフォーカスレンズ群（第２レンズ群Ｇ２）をロックできる。したがって、迅速にロックできる。
【０１３５】
［変形例］
《ロック用アーム及びブレーキバー》
上記実施の形態では、ロック用アーム及びブレーキバーが噛み合う部分の形状が鋸歯状とされているが、ロック用アーム及びブレーキバーが噛み合う部分の形状は、これに限定されるものではない。噛み合うことで光軸方向の移動を規制できる形状であればよい。したがって、光軸に沿って同じ凹凸が周期的に繰り返す形状であればよい。たとえば、ｓｉｎ波のような波状の凹凸であってもよい。また、凹凸は、その間隔（隣り合う凸部分同士の間隔）を狭くすることにより、噛み合わせを容易にできる。
【０１３６】
なお、ブレーキバーを周方向に移動させて噛み合わせることから、ロック用アーム及びブレーキバーは、その両端（回転筒５３の周方向の両端）がテーパ形状であることが好ましい。これにより、テーパ部をガイドとして、容易に噛み合わせることができる。
【０１３７】
また、ロック用アーム６１及びブレーキバー６２は、第２レンズ保持筒１８を可動範囲内で移動させた場合に、ブレーキバー６２の配置範囲内でロック用アーム６１が移動するように配置されていればよい。
【０１３８】
◆◆第３の実施の形態◆◆
［構成］
図１６は、本発明が適用された交換レンズの第3の実施の形態を示す断面図である。図１７は、図１６の１７−１７断面図である。図１８は、図１７の１８−１８断面図である。図１９は、図１７の１９−１９断面図である。なお、図１６は、図１７の１６−１６断面図に相当する。また、図１６から図１９は、第２レンズ保持筒１８をロックした場合を示している。
【０１３９】
本実施の形態の交換レンズ１は、フォーカスレンズ群ロック機構７０の構成が、上記第１の実施の形態の交換レンズ１と異なる。したがって、ここでは、フォーカスレンズ群ロック機構７０の構成についてのみ説明する。
【０１４０】
《フォーカスレンズ群ロック機構》
図２０は、フォーカスレンズ群ロック機構の側面部分断面図である。また、図２１及び図２２は、フォーカスレンズ群ロック機構の正面部分断面図である。なお、図２１は、第２レンズ保持筒１８をロックした場合を示しており、図２２は、第２レンズ保持筒１８をアンロックした場合を示している。また、図２１及び図２２では、第２レンズ保持筒１８を環状の枠で簡略化して示している。
【０１４１】
図２０、図２１及び図２２に示すように、フォーカスレンズ群ロック機構７０は、第２レンズ保持筒１８の外周面に押圧当接させて、第２レンズ保持筒１８の移動をロックするブレーキパッド７１と、ブレーキパッド７１を第２レンズ保持筒１８の外周面に向けて進退移動させて、第２レンズ保持筒１８の外周面にブレーキパッド７１を当接又は離間させるブレーキパッド駆動部７２と、を備える。
【０１４２】
〈ブレーキパッド〉
ブレーキパッド７１は、ロック部材の一例である。ブレーキパッド７１は、長方形の板形状を有し、光軸Ｚに沿って配設される。
【０１４３】
ブレーキパッド７１は、第２レンズ保持筒１８の可動範囲に対応した長さを有する。本実施の形態では、ブレーキパッド７１が、第２レンズ保持筒１８の可動範囲の一端から他端までの長さｄを超える長さを有する。これにより、第２レンズ保持筒１８を可動範囲内で移動させた場合に、ブレーキパッド７１の配置範囲内で第２レンズ保持筒１８が移動する。この結果、第２レンズ保持筒１８が、どこに位置している場合であっても、ブレーキパッド７１を第２レンズ保持筒１８の外周面に当接できる。
【０１４４】
ブレーキパッド７１は、第２レンズ保持筒１８の外周面と対向する面に当接部７１Ａを有する。当接部７１Ａは、弾性体で構成される。当接部７１Ａは、円弧状の当接面７１ａを有する。当接面７１ａは、第２レンズ保持筒１８の外周面と同じ曲率（ほぼ同じ曲率を含む）を有する。これにより、当接部７１Ａを第２レンズ保持筒１８の外周面に隙間なく密着させることができる。
【０１４５】
ブレーキパッド７１の当接部７１Ａは、たとえば、摩擦係数の大きなゴムで構成される。これにより、当接部７１Ａを第２レンズ保持筒１８の外周面に当接させた際に、第２レンズ保持筒１８に対する保持力を向上できる。すなわち、滑り止めの機能を付与できる。また、ゴムで構成することにより、緩衝材としての機能も付与できる。
【０１４６】
ブレーキパッド７１は、第２レンズ保持筒１８の外周面上の特定の位置に当接する。ブレーキパッド７１が当接する領域をロック部１８Ｌとする。本実施の形態では、周方向の特定の領域がロック部１８Ｌとして構成されている。
【０１４７】
〈ブレーキパッド駆動部〉
ブレーキパッド駆動部７２は、ブレーキパッド７１を第２レンズ保持筒１８の外周面に向けて進退移動させて、第２レンズ保持筒１８の外周面上のロック部１８Ｌにブレーキパッド７１を当接又は離間させる。ブレーキパッド駆動部７２は、ロック部材駆動部の一例である。
【０１４８】
ブレーキパッド駆動部７２は、ブレーキパッド７１を第２レンズ保持筒１８の外周面に向けて進退移動自在に支持するブレーキパッド支持部７３と、ブレーキパッド７１を第２レンズ保持筒１８の外周面に向けて付勢するバネ７４と、バネ７４の付勢力に抗して、ブレーキパッド７１を押圧し、ブレーキパッド７１の当接部７１Ａを第２レンズ保持筒１８の外周面から退避させる退避駆動部７５と、を備える。
【０１４９】
〔ブレーキパッド支持部〕
ブレーキパッド支持部７３は、シリンダ７３Ａ及びシャフト７３Ｂを備える。シャフト７３Ｂは、シリンダ７３Ａの内周部にガイドされて、軸方向に移動する。シリンダ７３Ａは、固定筒３１に固定される。固定筒３１に固定されたシリンダ７３Ａに対して、シャフト７３Ｂは、光軸Ｚに直交する直線に沿って移動する。すなわち、第２レンズ保持筒１８の半径方向に沿って移動する。
【０１５０】
ブレーキパッド７１は、シャフト７３Ｂの先端に取り付けられる。これにより、シャフト７３Ｂを進退移動させると、ブレーキパッド７１が、第２レンズ保持筒１８の外周面に対して進退移動する。より具体的には、第２レンズ保持筒１８の外周面上に設定されたロック部１８Ｌに対して進退移動する。
【０１５１】
〔バネ〕
バネ７４は、シリンダ７３Ａの内周部に収容され、シャフト７３Ｂをシリンダ７３Ａから突出させる方向（第２レンズ保持筒１８の外周面に向かう方向）に向けて付勢する。これにより、シャフト７３Ｂに取り付けられたブレーキパッド７１が、第２レンズ保持筒１８の外周面に向けて付勢され、第２レンズ保持筒１８の外周面に押圧当接される。
【０１５２】
〔退避駆動部〕
退避駆動部７５は、シャフト７３Ｂをバネ７４の付勢力に抗して押圧し、ブレーキパッド７１を第２レンズ保持筒１８の外周面から退避させる。退避駆動部７５は、揺動してシャフト７３Ｂを押圧する押圧アーム７６と、押圧アーム７６を駆動するアーム駆動ユニット７７と、を備える。
【０１５３】
（押圧アーム）
押圧アーム７６は、円弧状に湾曲した鉤状の形状を有する。押圧アーム７６は、基端部に揺動軸７６Ａを有する。押圧アーム７６は、揺動軸７６Ａを中心に揺動する。
【０１５４】
シャフト７３Ｂは、押圧アーム７６との係合部として、丸棒状の突起部７３ｂを有する。突起部７３ｂは、シャフト７３Ｂに対して直交する方向に突出して設けられる。
【０１５５】
押圧アーム７６は、アーム駆動ユニット７７に駆動されて、図２１に示す押圧解除位置と図２２に示す押圧位置との間を揺動する。
【０１５６】
押圧アーム７６を押圧解除位置から押圧位置に揺動させると、その揺動過程でシャフト７３Ｂの突起部７３ｂに当接し、ブレーキパッド７１をバネ７４の付勢力に抗して押圧する。これにより、図２２に示すように、ブレーキパッド７１が、第２レンズ保持筒１８の外周面から退避する。
【０１５７】
押圧アーム７６を押圧位置から押圧解除位置に揺動させると、図２１に示すように、押圧アーム７６がシャフト７３Ｂの突起部７３ｂから離間する。これにより、ブレーキパッド７１に対する押圧力が解除される。押圧アーム７６による押圧力が解除されたブレーキパッド７１は、バネ７４の付勢力で付勢され、第２レンズ保持筒１８の外周面に押圧当接される。
【０１５８】
（アーム駆動ユニット）
図２３は、駆動ユニットの構成を示す図である。
【０１５９】
アーム駆動ユニット７７は、ケース７７Ａ内に、押圧アーム駆動モータ７８と、その押圧アーム駆動モータ７８の出力を押圧アーム７６に伝達する回転伝達機構７９と、を備える。
【０１６０】
押圧アーム駆動モータ７８は、回転駆動モータの一例である。押圧アーム駆動モータ７８は、その出力軸７８ａを正逆双方向に回転駆動可能なモータで構成される。
【０１６１】
回転伝達機構７９は、押圧アーム駆動モータ７８の回転を減速させる減速機構で構成される。特に、本実施の形態では、回転伝達機構７９がウォームギアで構成される。ウォームギアは、ウォーム７９Ａ及びウォームホイール７９Ｂで構成される。ウォーム７９Ａは、ワッシャ８０を介して、押圧アーム駆動モータ７８の出力軸７８ａに取り付けられる。ウォームホイール７９Ｂは、押圧アーム７６の揺動軸７６Ａに取り付けられる。押圧アーム７６ｎｏ揺動軸７６Ａは、ケース７７Ａに備えられた軸受部に回転自在に支持される。
【０１６２】
押圧アーム駆動モータ７８を駆動して、ウォーム７９Ａを回転させると、その回転がウォームホイール７９Ｂに伝達されて、ウォームホイール７９Ｂが回転（揺動）する。ウォームホイール７９Ｂが回転（揺動）すると、押圧アーム７６が回転（揺動）する。
【０１６３】
回転伝達機構７９をウォームギアで構成することにより、いわゆるセルフロック機能が作用し、押圧アーム駆動モータ７８への電力供給を断っても、押圧アーム７６の回転をロックできる。
【０１６４】
なお、ウォーム７９Ａは、上記第１の実施で採用した手法と同じ手法で押圧アーム駆動モータ７８に取り付けられる。すなわち、ワッシャ８０とウォーム７９Ａとの間に生じる隙間の幅をαとし、出力軸７８ａの後端とケース７８ｂの内壁面との間に生じる隙間の幅をβとした場合に、α＜βの条件を満たすように、出力軸７８ａに取り付けられる。これにより、セルフロック機能を強化できる。
【０１６５】
［作用］
《フォーカスレンズ群のロック》
フォーカスレンズ群（第２レンズ群Ｇ２）をロックする場合は、図２０及び図２１に示すように、ブレーキパッド７１を第２レンズ保持筒１８の外周面に当接させる。第２レンズ保持筒１８は、ブレーキパッド７１が当接されることにより、摩擦で移動が規制され、一定位置に保持される。これにより、フォーカスレンズ群（第２レンズ群Ｇ２）の移動がロックされる。
【０１６６】
ブレーキパッド７１を第２レンズ保持筒１８の外周面に当接させる場合は、押圧アーム７６を押圧解除位置に移動させる。押圧アーム７６を押圧解除位置に移動させると、図２１に示すように、押圧アーム７６がシャフト７３Ｂの突起部７３ｂから離間する。これにより、ブレーキパッド７１に対する押圧力が解除される。押圧アーム７６による押圧力が解除されたブレーキパッド７１は、バネ７４の付勢力で付勢され、第２レンズ保持筒１８の外周面に押圧当接される。この際、ブレーキパッド７１は、外周面上の特定の領域（ロック部７１Ｌ）に押圧当接される。
【０１６７】
《フォーカスレンズ群のアンロック》
ロックされたフォーカスレンズ群（第２レンズ群Ｇ２）をアンロックする場合は、図２２に示すように、ブレーキパッド７１を第２レンズ保持筒１８から離間させる。これにより、第２レンズ保持筒１８のロックが解除され、フリーになる。
【０１６８】
ブレーキパッド７１を第２レンズ保持筒１８から離間させる場合は、押圧アーム７６を押圧解除位置から押圧位置に移動させる。押圧アーム７６を押圧解除位置から押圧位置に揺動させると、その揺動過程でシャフト７３Ｂの突起部７３ｂに当接し、ブレーキパッド７１をバネ７４の付勢力に抗して押圧する。これにより、図２２に示すように、ブレーキパッド７１が、第２レンズ保持筒１８の外周面から退避する。
【０１６９】
このように、本実施の形態のフォーカスレンズ群ロック機構７０は、ブレーキパッド７１を第２レンズ保持筒１８の外周面に当接又は離間させることにより、フォーカスレンズ群（第２レンズ群Ｇ２）をロック、アンロックする。第２レンズ保持筒１８は、ブレーキパッド７１の配置範囲内を移動するので、任意の位置で第２レンズ保持筒１８をロックできる。
【０１７０】
［変形例］
《ロック部》
上記実施の形態では、第２レンズ保持筒１８の外周面をそのままロック部として使用しているが、ロック部の形態は、これに限定されるものではない。たとえば、ロック部として、第２レンズ保持筒１８の外周面上に凸部を設け、その凸部にブレーキパッド７１を当接又は離間させる構成としてもよい。この場合、ブレーキパッド７１は、第２レンズ保持筒１８を可動範囲内で移動させた場合に、ブレーキパッド７１の配置範囲内でロック部が移動するように配置される。すなわち、ロック部の可動範囲を超える長さをもって配置される。
【０１７１】
《ロック部材》
上記実施の形態では、ロック部材であるブレーキパッド７１の当接部７１Ａを円弧形状としているが、ロック部材の当接部の形状は、ロック部の形状に対応した形状とすることが好ましい。すなわち、ロック部に面で当接する形状とすることが好ましい。
【０１７２】
また、ロック部材は、複数備えてもよい。ロック部材を複数備えることにより、ロック力を高めることができる。ロック部材を複数に備える場合は、等間隔に配置することが好ましい。特に、光軸と直交する鉛直線に対して対称になるように配置することが好ましい。これにより、重量バランスを均一化できる。
【０１７３】
また、ロック部及びブレーキパッド７１は、第２レンズ保持筒１８を可動範囲内で移動させた場合に、ブレーキパッド７１の配置範囲内でロック部１８Ｌが移動するように配置されていればよい。
【０１７４】
◆◆第４の実施の形態◆◆
［構成］
本実施の形態の交換レンズは、フォーカスレンズ群ロック機構の構成が、上記第３の実施の形態の交換レンズと異なる。したがって、ここでは、フォーカスレンズ群ロック機構の構成についてのみ説明する。
【０１７５】
図２４及び図２５は、それぞれ本実施の形態の交換レンズに組み込まれたフォーカスレンズ群ロック機構の正面部分断面図である。また、図２６及び図２７は、それぞれ本実施の形態の交換レンズに組み込まれたフォーカスレンズ群ロック機構の側面部分断面図である。
【０１７６】
図２４及び図２６は、それぞれフォーカスレンズ群をロックした場合の図を示しており、図２５及び図２７は、それぞれフォーカスレンズ群をアンロックした場合の図を示している。
【０１７７】
図２４から図２７に示すように、本実施の形態のフォーカスレンズ群ロック機構は、ブレーキパッド７１及びロック部１８Ｌの構成が、上記第３の実施の形態のフォーカスレンズ群ロック機構と異なる。
【０１７８】
図２４から図２７に示すように、本実施の形態のブレーキパッド７１及びロック部１８Ｌは、光軸Ｚに沿って鋸歯状の凹凸を有する。より具体的には、断面が三角形状の凹凸が光軸Ｚに沿って周期的に繰り返された形状の凹凸を有する。ブレーキパッド７１は、その当接部７１Ａの当接面７１ａに鋸歯状の凹凸を有する。ロック部１８Ｌは、当接部７１Ａが当接される面に鋸歯状の凹凸を有する。両者に備えられる凹凸は、対応した形状を有する。このため、ブレーキパッド７１の当接部７１Ａをロック部１８Ｌに当接させると、ブレーキパッド７１の当接部７１Ａの凹凸が、ロック部１８Ｌの凹凸に噛み合う。
【０１７９】
［作用］
《フォーカスレンズ群のロック》
フォーカスレンズ群（第２レンズ群Ｇ２）をロックする場合は、図２４及び図２６に示すように、ブレーキパッド７１の当接部７１Ａを第２レンズ保持筒１８のロック部１８Ｌに当接させる。ブレーキパッド７１の当接部７１Ａを第２レンズ保持筒１８のロック部１８Ｌに当接させると、ブレーキパッド７１の当接部７１Ａの凹凸が、ロック部１８Ｌの凹凸に噛み合う。これにより、第２レンズ保持筒１８の光軸方向の移動が規制され、移動がロックされる。また、これにより、フォーカスレンズ群（第２レンズ群Ｇ２）がロックされる。
【０１８０】
《フォーカスレンズ群のアンロック》
ロックされたフォーカスレンズ群（第２レンズ群Ｇ２）をアンロックする場合は、図２５及び図２７に示すように、ブレーキパッド７１の当接部７１Ａを第２レンズ保持筒１８のロック部１８Ｌから離間させる。これにより、第２レンズ保持筒１８のロックが解除され、フリーになる。
【０１８１】
このように、本実施の形態のフォーカスレンズ群ロック機構においても、ブレーキパッド７１を第２レンズ保持筒１８に当接又は離間させることにより、フォーカスレンズ群（第２レンズ群Ｇ２）をロック、アンロックできる。また、本実施の形態のフォーカスレンズ群ロック機構は、ロックの際、凹凸を噛み合わせるので、より強固にロックできる。
【０１８２】
［変形例］
《凹凸の形状》
上記実施の形態では、ブレーキパッド７１及びロック部１８Ｌに鋸歯状の凹凸を備えているが、ブレーキパッド７１及びロック部１８Ｌに備える凹凸は、これに限定されるものではない。光軸Ｚに沿って周期的に繰り返す形状の凹凸であればよい。したがって、台形状の凹凸（歯が直線状に並んだラック状の凹凸）、矩形状の凹凸、波形の凹凸（たとえば、ｓｉｎ波形状の凹凸）を備えてもよい。
【０１８３】
《ブレーキパッド駆動部》
ブレーキパッドを第２レンズ保持筒のロック部に当接又は離間させる構成、すなわち、ブレーキパッド駆動部（ロック部材駆動部）の構成は、上記第３又は第４の実施の形態に示された構成に限定されるものではない。
【０１８４】
図２８は、ブレーキパッド駆動部の他の一例を示す斜視図である。また、図２９及び図３０は、図２８に示したブレーキパッド駆動部の正面部分断面図である。なお、図２９は、フォーカスレンズ群をロックした場合の図を示しており、図３０は、フォーカスレンズ群をアンロックした場合の図を示している。
【０１８５】
本例のブレーキパッド駆動部８２は、先端部にブレーキパッド８１を備え、支軸８３ａを支点に揺動するブレーキパッド支持アーム８３と、そのブレーキパッド支持アームの先端部を第２レンズ保持筒１８のロック部１８Ｌに向けて付勢するバネ８４と、バネ８４の付勢力に抗してブレーキパッド支持アーム８３の基端部を押圧し、ブレーキパッド８１の当接部８１Ａを第２レンズ保持筒１８のロック部１８Ｌから退避させる退避駆動部８５と、を備える。
【０１８６】
〈ブレーキパッド及びロック部〉
図３１は、ブレーキパッド及びロック部の構成を示す斜視図である。
【０１８７】
同図に示すように、ブレーキパッド８１は、その当接部８１Ａに鋸歯状の凹凸を有する。なお、本例のブレーキパッド８１は、鋸歯状の凹凸として、断面が台形形状の凹凸が光軸Ｚに沿って周期的に繰り返された形状の凹凸を有する。より具体的には、歯が直線状に並んだラック状の凹凸を有する（一例として、モジュール０．３ｍｍ程度の歯が光軸に沿って直線状に並んだラック状の凹凸を有数する。）。
【０１８８】
一方、第２レンズ保持筒１８は、そのロック部１８Ｌにブレーキパッド８１の当接部８１Ａの凹凸に対応した凹凸を有する。これにより、ブレーキパッド８１の当接部８１Ａをロック部１８Ｌに当接させると、ブレーキパッド８１の当接部８１Ａの凹凸が、ロック部１８Ｌの凹凸に噛み合う。
【０１８９】
〈ブレーキパッド支持アーム〉
ブレーキパッド支持アーム８３は、揺動部材の一例である。ブレーキパッド支持アーム８３は、円弧状の形状を有し、光軸Ｚと平行に配置された支軸８３ａを支点に揺動自在に支持される。支軸８３ａは、固定筒３１に備えられた図示しない軸支持部に支持される。
【０１９０】
ブレーキパッド８１は、ブレーキパッド支持アーム８３の先端部に備えられる。ブレーキパッド８１は、ブレーキパッド支持アーム８３を揺動させることにより、第２レンズ保持筒１８のロック部１８Ｌに対して進退移動し、ロック部１８Ｌに当接又は離間する。
【０１９１】
〈バネ〉
バネ８４は、付勢部の一例である。バネ８４は、一端がブレーキパッド支持アーム８３の先端に固定され、他端が固定筒３１に固定される。ブレーキパッド支持アーム８３は、このバネ８４よって、先端部分が第２レンズ保持筒１８のロック部１８Ｌに向けて付勢される。これにより、ブレーキパッド８１がロック部１８Ｌに向けて付勢され、ロック部１８Ｌに押圧当接される。
【０１９２】
〈退避駆動部〉
退避駆動部８５は、バネ８４の付勢力に抗してブレーキパッド支持アーム８３の基端部を押圧し、ブレーキパッド８１をロック部１８Ｌから退避させる。退避駆動部８５は、揺動してブレーキパッド支持アーム８３の基端部を押圧する押圧シャフト８６と、押圧シャフト８６を駆動する押圧シャフト駆動ユニット８７と、を備える。
【０１９３】
〔押圧シャフト〕
押圧シャフト８６は、押圧部材の一例である。押圧シャフト８６は、丸棒状の形状を有する。押圧シャフト８６は、その基端部を押圧シャフト支持アーム８８に片持ち支持されて、光軸Ｚと平行に配置される。
【０１９４】
押圧シャフト支持アーム８８は、楕円形の円盤形状を有し、偏心した位置に揺動軸８８ａを有する。押圧シャフト８６は、揺動軸８８ａと平行に支持され、かつ、揺動軸８８ａに対して偏心して支持される。この結果、揺動軸８８ａを中心に押圧シャフト支持アーム８８を回転させると、押圧シャフト８６が、光軸Ｚと平行な状態を維持しながら、揺動軸８８ａを中心に揺動する。
【０１９５】
押圧シャフト８６は、ブレーキパッド支持アーム８３の基端部の外周面に当接するように配置される。押圧シャフト８６は、押圧シャフト駆動ユニット８７に駆動されて、図２９に示す押圧解除位置と図３０に示す押圧位置との間を揺動する。
【０１９６】
押圧シャフト８６を押圧解除位置から押圧位置に揺動させると、ブレーキパッド支持アーム８３の基端部がバネ８４の付勢力に抗して押圧シャフト８６に押圧される。これにより、図３０に示すように、ブレーキパッド８１が、第２レンズ保持筒１８のロック部１８Ｌから退避する。
【０１９７】
押圧シャフト８６を押圧位置から押圧解除位置に揺動させると、押圧シャフト８６による押圧が解除される。これにより、図２９に示すように、ブレーキパッド８１がバネ８４の付勢力によって第２レンズ保持筒１８のロック部１８Ｌに押圧当接される。
【０１９８】
（押圧シャフト駆動ユニット）
押圧シャフト駆動ユニット８７は、押圧駆動用モータ８９と、その押圧駆動用モータ８９の回転を押圧シャフト支持アーム８８に伝達する回転伝達機構９０と、を備える。
【０１９９】
押圧駆動用モータ８９は、回転駆動モータの一例である。押圧駆動用モータ８９は、図示しない支持部を介して、固定筒３１に備えられる。押圧駆動用モータ８９は、その出力軸を正逆双方向に回転駆動可能なモータで構成される。
【０２００】
回転伝達機構９０は、図示しない支持部を介して、固定筒３１に備えられる。回転伝達機構９０は、押圧駆動用モータ８９の回転を減速させる減速機構で構成される。すなわち、押圧駆動用モータ８９の回転を減速させて押圧シャフト支持アーム８８に伝達する機構で構成される。回転伝達機構９０を減速機構で構成することにより、いわゆるセルフロック機能が作用し、押圧駆動用モータ８９への電力供給を断っても、押圧シャフト８６の回転をロックできる。本例では、回転伝達機構９０が、複数の平歯車を組み合わせたギア列で構成される。押圧駆動用モータ８９の回転は、回転伝達機構９０を介して押圧シャフト支持アーム８８の揺動軸８８ａに伝達される。なお、回転伝達機構９０は、上記実施の形態のように、ウォームギアで構成することもできる。
【０２０１】
〈作用〉
〔フォーカスレンズ群をロックする場合〕
フォーカスレンズ群（第２レンズ群Ｇ２）をロックする場合は、押圧シャフト８６を押圧解除位置に移動させる。
【０２０２】
押圧シャフト８６は、押圧駆動用モータ８９を駆動することにより、揺動軸８８ａを中心に揺動して、押圧解除位置に移動する。
【０２０３】
押圧シャフト８６が押圧解除位置に移動すると、図２９に示すように、押圧シャフト８６によるブレーキパッド支持アーム８３の押圧が解除される。押圧シャフト８６によるブレーキパッド支持アーム８３の押圧が解除されると、バネ８４の付勢力によって、ブレーキパッド８１の当接部８１Ａが、第２レンズ保持筒１８のロック部１８Ｌに押圧当接される。これにより、ブレーキパッド８１の当接部８１Ａの凹凸が、ロック部１８Ｌの凹凸に噛み合う。この結果、フォーカスレンズ群（第２レンズ群Ｇ２）の移動がロックされる。
【０２０４】
《フォーカスレンズ群のアンロック》
ロックされたフォーカスレンズ群（第２レンズ群Ｇ２）をアンロックする場合は、押圧シャフト８６を押圧解除位置から押圧位置に移動させる。
【０２０５】
押圧シャフト８６は、押圧駆動用モータ８９を駆動することにより、揺動軸８８ａを中心に揺動して、押圧解除位置から押圧位置に移動する。
【０２０６】
押圧シャフト８６を押圧位置に移動させると、ブレーキパッド支持アーム８３の基端部が、押圧シャフト８６によって押圧される。これにより、図３０に示すように、ブレーキパッド８１の当接部８１Ａが、第２レンズ保持筒１８のロック部１８Ｌから退避する。この結果、フォーカスレンズ群（第２レンズ群Ｇ２）のロックが解除され、フォーカスレンズ群（第２レンズ群Ｇ２）がフリーになる。
【０２０７】
このように、本例のブレーキパッド駆動部（ロック部材駆動部）も、ブレーキパッド８１を進退移動させて、ブレーキパッド８１の当接部８１Ａを第２レンズ保持筒１８のロック部１８Ｌに当接又は離間させる。本例のブレーパッド駆動部は、ブレーキパッド８１が、光軸Ｚと平行な軸（支軸８３ａ）を支点に揺動する構成のため、第２レンズ保持筒１８と固定筒３１との間のスペースが狭い場合に有効である。
【０２０８】
◆◆その他の実施の形態◆◆
上記実施の形態では、レンズ交換式のカメラの交換レンズに本発明を適用した場合を例に説明したが、本発明の適用は、これに限定されるものではない。この他、レンズ一体式のカメラのレンズ鏡筒に本発明を適用することもできる。
【０２０９】
また、上記実施の形態では、フォーカスレンズ群をロックする場合を例に説明したが、ロックする対象は、これに限定されるものではない。たとえば、ズームレンズ群をリニアモータで駆動する場合は、ズームレンズ群のロックにも使用できる。
【０２１０】
また、フローティングフォーカス方式のように、複数のフォーカスレンズ群を移動させる場合であって、個々のフォーカスレンズ群をリニアモータで個別に駆動する場合には、個々のフォーカスレンズ群のロックに本発明を使用できる。
【符号の説明】
【０２１１】
１  交換レンズ
１０  レンズ鏡筒
１２  固定鏡筒
１２ａ  フォーカスリング
１２ｂ  絞りリング
１４  マウント
１６  第１レンズ保持筒
１６ａ  支持部
１８  第２レンズ保持筒
１８Ｌ  ロック部
１８ａ  コイル保持部
２０  第３レンズ保持筒
２０ａ  支持部
２２  第４レンズ保持筒
２２ａ  支持部
２６  絞りユニット
２７  絞り用モータ
３０  フォーカスレンズ群支持部
３１  固定筒
３１ａ  支持部
３１ｂ  主ガイド軸支持部
３１ｃ  副ガイド軸支持部
３１ｄ  ヨーク支持部
３１ｅ  スリット
３２ａ  主ガイド軸
３２ｂ  副ガイド軸
３３ａ  主スライド部
３３ｂ  副スライド部
３４  ストッパ
４０  フォーカスレンズ群駆動部
４１  フォーカス用モータ
４１ａ  ヨーク
４１ａ１  インナーヨーク部
４１ａ２  アウターヨーク部
４１ｂ  駆動用マグネット
４１ｃ  駆動用コイル
５０  フォーカスレンズ群ロック機構
５１  ロック用アーム
５１ａ  受け部
５２  ブレーキバー
５２ａ  当接面
５３  回転筒
５３ａ  ギア部
５４  回転筒駆動部
５５  駆動ギア
５５ａ  回転軸
５６  回転駆動ユニット
５７  ロック用モータ
５７ａ  出力軸
５７ｂ  ケース
５７ｃ  ロータ
５７ｃ１  ロータの軸部
５７ｄ  ステータ
５７ｅ  軸受部
５７ｆ  ワッシャ
５８  回転伝達機構
５８Ａ  ウォーム
５８Ｂ  ウォームホイール
５９  ワッシャ
６０  フォーカスレンズ群ロック機構
６１  ロック用アーム
６１ａ  噛み合い部
６１ｂ  噛み合い部
６２  ブレーキバー
６４  回転筒駆動部
７０  フォーカスレンズ群ロック機構
７１  ブレーキパッド
７１Ａ  当接部
７１Ｌ  ロック部
７１ａ  当接面
７２  ブレーキパッド駆動部
７３  ブレーキパッド支持部
７３Ａ  シリンダ
７３Ｂ  シャフト
７３ｂ  突起部
７４  バネ
７５  退避駆動部
７６  押圧アーム
７６Ａ  揺動軸
７７  アーム駆動ユニット
７７Ａ  ケース
７８  押圧アーム駆動モータ
７８ａ  出力軸
７８ｂ  ケース
７９  回転伝達機構
７９Ａ  ウォーム
７９Ｂ  ウォームホイール
８０  ワッシャ
８１  ブレーキパッド
８１Ａ  当接部
８２  ブレーキパッド駆動部
８３  ブレーキパッド支持アーム
８３ａ  支軸
８４  バネ
８５  退避駆動部
８６  押圧シャフト
８７  押圧シャフト駆動ユニット
８８  押圧シャフト支持アーム
８８ａ  揺動軸
８９  押圧駆動用モータ
９０  回転伝達機構
１１０  レンズマイコン
１１０ａ  フォーカスレンズ群駆動制御部
１１０ｂ  絞り駆動制御部
１１０ｃ  ロック駆動制御部
１１２  フォーカス用モータ駆動回路
１１４  絞り用モータ駆動回路
１１６  ロック用モータ駆動回路
１１８  フォーカスレンズ群位置検出部
１２０  操作部
ＣＢ  カメラボディー
ＣＭ  カメラマイコン
ＣＣＷ  反時計回り
ＣＷ  時計回り
Ｇ１  第１レンズ群
Ｇ２  第２レンズ群
Ｇ３  第３レンズ群
Ｇ４  第４レンズ群
Ｓｔ  絞り
Ｚ  光軸
【図１】
0006853384.tif 000002
【図２】
0006853384.tif 000003
【図３】
0006853384.tif 000004
【図４】
0006853384.tif 000005
【図５】
0006853384.tif 000006
【図６】
0006853384.tif 000007
【図７】
0006853384.tif 000008
【図８】
0006853384.tif 000009
【図９】
0006853384.tif 000010
【図１０】
0006853384.tif 000011
【図１１】
0006853384.tif 000012
【図１２】
0006853384.tif 000013
【図１３】
0006853384.tif 000014
【図１４】
0006853384.tif 000015
【図１５】
0006853384.tif 000016
【図１６】
0006853384.tif 000017
【図１７】
0006853384.tif 000018
【図１８】
0006853384.tif 000019
【図１９】
0006853384.tif 000020
【図２０】
0006853384.tif 000021
【図２１】
0006853384.tif 000022
【図２２】
0006853384.tif 000023
【図２３】
0006853384.tif 000024
【図２４】
0006853384.tif 000025
【図２５】
0006853384.tif 000026
【図２６】
0006853384.tif 000027
【図２７】
0006853384.tif 000028
【図２８】
0006853384.tif 000029
【図２９】
0006853384.tif 000030
【図３０】
0006853384.tif 000031
【図３１】
0006853384.tif 000032